(57)【要約】【課題】２Ｄ３Ｄ変換によって、２Ｄ映像コンテンツを３Ｄに変換した場合に、例えば、文字が含まれている場合は、ユーザは３Ｄ映像を視聴しにくく、不快に感じることがある。このユーザが感じる不快感を低減することが課題となっていた。【解決手段】実施形態の映像出力装置は、２Ｄ映像データを受信し、受信した２Ｄ映像データに文字を示す文字データが関連付けられているかを検出する文字データ検出部を備える。また、前記文字データが関連付けられている場合に、前記文字データは２Ｄに、映像を示す映像データは３Ｄに、とする２Ｄ３Ｄ変換に係る情報を出力し、前記出力された２Ｄ３Ｄ変換に係る情報に基づいて、前記受信した２Ｄ映像データを２Ｄ３Ｄ変換して映像データを出力する２Ｄ３Ｄ変換部を備える映像出力装置。【選択図】  図４
2012151615.tif 000002
【特許請求の範囲】
【請求項１】
２Ｄ映像データを受信し、受信した２Ｄ映像データに文字を示す文字データが関連付けられているかを検出する文字データ検出部と、
前記文字データが関連付けられている場合に、前記文字データは２Ｄに、映像を示す映像データは３Ｄに、とする２Ｄ３Ｄ変換に係る情報を出力し、前記出力された２Ｄ３Ｄ変換に係る情報に基づいて、前記受信した２Ｄ映像データを２Ｄ３Ｄ変換して映像データを出力する２Ｄ３Ｄ変換部を備える映像出力装置。
【請求項２】
前記２Ｄ３Ｄ変換して出力された映像データを受信し、表示する映像表示部を備える請求項１に記載の映像出力装置。
【請求項３】
前記受信した２Ｄ映像データを、前記文字データは２Ｄに、前記映像データは３Ｄに変換して出力する請求項１に記載の映像出力装置。
【請求項４】
前記映像を表示する映像データを検出する映像データ検出部を備える請求項１に記載の映像出力装置。
【請求項５】
前記２Ｄ３Ｄ変換して出力された映像データは、２Ｄ映像を表示する２Ｄ映像表示領域と、３Ｄ映像を表示する３Ｄ映像表示領域を備える請求項１に記載の映像出力装置。
【請求項６】
前記２Ｄ３Ｄ変換に係る情報は、前記映像データが表示される領域に関連付けて出力される請求項２に記載の映像出力装置。
【請求項７】
前記文字データが関連付けられていない場合は３Ｄ映像が出力される請求項１に記載の映像出力装置。
【請求項８】
２Ｄ映像データを受信し、受信した２Ｄ映像データに文字を表示する文字データが関連付けられているかを検出するステップと、
前記文字データが関連付けられている場合に、前記文字データは２Ｄに、映像を表示する映像データは３Ｄに、とする２Ｄ３Ｄ変換に係る情報を出力するステップと、
前記出力された２Ｄ３Ｄ変換に係る情報に基づいて、前記受信した２Ｄ映像データを２Ｄ３Ｄ変換して映像データを出力するステップを備える映像出力方法。
【発明の詳細な説明】
【技術分野】
【０００１】
本発明の実施形態は、映像出力装置、映像出力方法に関する。
【背景技術】
【０００２】
近年、３Ｄ（３次元）映像を映像表示部に表示出力可能なテレビやＤＶＤ、ＰＣ（パーソナルコンピュータ）等の映像出力装置が普及しつつある。
また、２Ｄ（２次元）として入力された映像コンテンツを３Ｄに変換して出力する、いわゆる２Ｄ３Ｄ変換を行なうことが可能な映像出力装置も普及しつつある。
しかし、上記２Ｄ３Ｄ変換によって、２Ｄとして入力された映像コンテンツを３Ｄに変換して映像表示部に表示出力した場合に、例えば、映像コンテンツに文字が含まれている場合は、文字がちらついて表示され、ユーザは２Ｄ３Ｄ変換された３Ｄ映像を視聴しにくいことがあるという問題があった。
【先行技術文献】
【特許文献】
【０００３】
【特許文献１】特開２０１０−９３８１６号公報
【発明の概要】
【発明が解決しようとする課題】
【０００４】
２Ｄ３Ｄ変換によって、２Ｄ映像コンテンツを３Ｄに変換した場合に、例えば、文字が含まれている場合は、ユーザは３Ｄ映像を視聴しにくく不快に感じることがある。このユーザが感じる不快感を低減することを課題とする。
【課題を解決するための手段】
【０００５】
実施形態の映像出力装置は、  ２Ｄ映像データを受信し、受信した２Ｄ映像データに文字を示す文字データが関連付けられているかを検出する文字データ検出部を備える。
【０００６】
また、前記文字データが関連付けられている場合に、前記文字データは２Ｄに、映像を示す映像データは３Ｄに、とする２Ｄ３Ｄ変換に係る情報を出力し、前記出力された２Ｄ３Ｄ変換に係る情報に基づいて、前記受信した２Ｄ映像データを２Ｄ３Ｄ変換して映像データを出力する２Ｄ３Ｄ変換部を備える映像出力装置。
【図面の簡単な説明】
【０００７】
【図１】実施形態に係わる映像出力装置の外観図。
【図２】一般的な映像出力装置において、受信した２Ｄ映像に２Ｄ３Ｄ変換処理を施し、出力された３Ｄ映像の一例を示す図。
【図３】実施形態に係わる映像出力装置の構成の一例を示すブロック図。
【図４】実施形態に係わる映像出力装置に構成される映像出力システムの概要を示す図。
【図５】実施形態に係わる映像出力装置に構成される２Ｄ３Ｄ変換部の構成の一例を示すブロック図。
【図６】実施形態に係わる映像出力装置における２Ｄ３Ｄ表示領域情報の出力例を説明する図。
【図７】実施形態に係わる映像出力装置から出力される、字幕表示を含む映像の表示例を示す図。
【図８】実施形態に係わる映像出力装置から出力される、ピクチャーインピクチャー表示の表示例を示す図。
【図９】実施形態に係わる映像出力装置から出力される、ＰＣ画面表示の表示例を示す図。
【図１０】実施形態に係わる映像出力装置から出力される、データ放送の表示例を示す図。
【図１１】実施形態に係わる映像出力装置における動作を説明するフローチャート。
【発明を実施するための形態】
【０００８】
以下、図面を参照し、実施の形態を説明する。
図１は、実施形態に係わる映像出力装置の外観図である。
ここでは、ユーザが立体視用眼鏡（３Ｄメガネ）を用いて、映像表示部１５に表示される３Ｄ映像を視聴する例（３Ｄメガネ方式）を説明するが、この実施の形態においては、ユーザが３Ｄメガネを使用しないで３Ｄ映像を視聴する、いわゆる裸眼方式においても適用可能である。
【０００９】
符号１１は映像出力装置（デジタルテレビジョン放送受信装置）、符号１２は立体視用眼鏡（３Ｄメガネ）、符号１３はキャビネット、符号１４は支持台、符号１５は映像表示部（液晶表示パネル）、符号１６はスピーカ、符号１７は操作部、符号１７ａは主電源スイッチ、符号１８はリモートコントローラ、符号１９は受光部、符号２０は基台、符号２１は着脱検出部である。
【００１０】
映像出力装置（デジタルテレビジョン放送受信装置）１１は、立体視映像（３Ｄまたは３次元）表示が可能である。ここでは、この映像出力装置（デジタルテレビジョン放送受信装置）１１の表示映像から立体視映像を認識するための立体視用眼鏡（３Ｄメガネ）１２を備えている。
【００１１】
映像出力装置（デジタルテレビジョン放送受信装置）１１は、キャビネット１３と、このキャビネット１３を支持する支持台１４から構成されている。そして、キャビネット１３には、その正面中央部に、映像表示部（液晶表示パネル）１５が配置されている。また、このキャビネット１３には、その両側面にそれぞれスピーカ１６が配置され、ステレオ音声再生が行なえるように構成されている。
【００１２】
また、このキャビネット１３には、その正面下部に、主電源スイッチ１７ａを含む操作部１７と、リモートコントローラ１８から送信される操作情報を受信するための受光部１９が配置されている。
【００１３】
支持台１４は、キャビネット１３の底面中央部に回動自在に連結され、所定の基台２０の水平面上に載置された状態で、キャビネット１３を起立させて支持している。
【００１４】
上記映像出力装置（デジタルテレビジョン放送受信装置）１１は、立体視用映像を表示する場合、右目用映像信号と左目用映像信号を生成して、映像表示部（液晶表示パネル）１５に、右目用映像と左目用映像を交互に映像表示する。
【００１５】
また、この映像出力装置（デジタルテレビジョン放送受信装置）１１は、右目用映像を映像表示している期間と、左目用映像を映像表示している期間とをそれぞれ示すシャッタ制御信号ＳＣを生成し、立体視用眼鏡（３Ｄメガネ）１２に出力する。
【００１６】
立体視用眼鏡（３Ｄメガネ）１２は、映像出力装置（デジタルテレビジョン放送受信装置）１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像を認識させている。
【００１７】
また、上記立体視用眼鏡（３Ｄメガネ）１２は、ユーザが装着しているか否か、つまり、ユーザが眼鏡を掛けているか外しているかを検出するための着脱検出部２１を備えている。そして、この着脱検出部２１から出力される着脱検出信号ＣＤは、映像出力装置（デジタルテレビジョン放送受信装置）１１に供給される。
【００１８】
この映像出力装置（デジタルテレビジョン放送受信装置）１１は、ユーザが立体視用眼鏡（３Ｄメガネ）１２を装着している旨を示す着脱検出信号ＣＤが供給されたとき、映像表示部（液晶表示パネル）１５に右目用映像と左目用映像を交互に映像表示して、立体視映像表示を実行する。
【００１９】
図２は、一般的な映像出力装置において、受信した２Ｄ映像に２Ｄ３Ｄ変換処理を施し、出力された３Ｄ映像の一例を示す図である。
ここでは、受信した２Ｄ映像に２Ｄ３Ｄ変換処理を施し、３Ｄ映像が出力され、映像表示部１１に表示された一般的な映像出力装置を示している。
ここでは、ニュース番組を例にとり、説明する。
ここでは、例えば、映像表示部１１に映像２の表示に加え、時刻表示１や、テロップ３が表示されている。
そして、これらの時刻表示１、映像２、テロップ３は３Ｄ映像として表示出力される。
しかし、２Ｄ３Ｄ変換は一般的に、撮影された映像の奥行きを推測して、奥行きを生成するため、自然界に存在していない時間表示１やテロップ３等は２Ｄ３Ｄ変換に適しておらず、不自然な立体となってしまう可能性がある。
【００２０】
図３は、実施形態に係わる映像出力装置の構成の一例を示すブロック図である。
符号２２はアンテナ、符号２３は入力端子、符号２４は選局復調部、符号２５はＴＳ分離部、符号２６は映像／文字データ検出部（映像デコーダ）、符号２７は映像フレームバッファ、符号５０は２Ｄ３Ｄ変換部、符号２８は映像出力部、符号２９は音声バッファ、符号３０は音声出力部、符号３１は音声デコーダ、符号３２は入力端子である。
【００２１】
符号３３は制御部、符号３３ａはＣＰＵ、符号３３ｂはメモリ部、符号３４はＨＤＤ、符号３４ａはハードディスク、符号３５はネットワークインターフェース、符号３６は入出力端子である。
【００２２】
アンテナ２２で受信されたデジタルテレビジョン放送信号は、入力端子２３を介して選局復調部２４に供給される。この選局復調部２４は、入力されたデジタルテレビジョン放送信号から所望のチャンネルの信号を選局し、その選局した放送信号に復調処理を施してＴＳ（transport stream）を生成して出力する。
【００２３】
選局復調部２４から出力されたＴＳは、ＴＳ分離部２５に供給されて、映像成分と音声成分とに分離される。このうち、映像成分は、映像／文字データ検出部（映像デコーダ）２６によりデコード処理が施されて元のデジタルの映像信号に復元された後、映像フレームバッファ２７に格納される。
【００２４】
この映像フレームバッファ２７に格納された映像信号は、フレーム単位で映像出力部２８に読み出され、所定の信号処理が施された後、上記映像表示部（液晶表示パネル）１５に供給されて映像表示に供される。
【００２５】
また、この実施の形態においては、映像／文字データ検出部（映像デコーダ）２６において、上記受信したＴＳ（２Ｄ映像データ）に、上記時刻表示１や、テロップ３の表示等の文字を表示する文字データが関連付けられているかを検出する。
【００２６】
すなわち、後述するように、例えば文字多重放送に多重（重畳）された文字情報や地上デジタル放送のデータ放送で送信される文字データ、クローズドキャプションにおけるキャプションデータ等の映像に関連付けられた文字データを検出する。以降、ここでは、これらの文字情報やデータ放送で送信される文字データ、クローズドキャプションにおけるキャプションデータ等を文字データと呼ぶ。
【００２７】
また、この実施の形態においては、映像データを検出することも可能である。
そして、後述するように、受信したＴＳ等の２Ｄ映像データに文字データが関連付けられている場合には、文字データは２Ｄとして出力する、映像を表示する映像データは３Ｄとして出力する、とする２Ｄ３Ｄ変換に係る情報を出力し、この２Ｄ３Ｄ変換に係る情報に基づいて、受信した受信したＴＳ（２Ｄ映像データ）を２Ｄ３Ｄ変換、すなわち、２Ｄと３Ｄで映像データを出力する。
【００２８】
また、ＴＳ分離部２５で分離された音声成分は、音声バッファ２９に格納された後、音声出力部３０に読み出されて、所定の信号処理が施される。そして、音声出力部３０から出力された音声成分は、音声デコーダ３１によりデコード処理が施されて、デジタルの音声データに復元された後、アナログ化されてスピーカ１６により音声が再生される。
【００２９】
また、この映像出力装置（デジタルテレビジョン放送受信装置）１１は、入力端子３２を備えている。この入力端子３２には、例えばＤＶＤ（digital versatile disk）等の光ディスクに対して記録再生を行なう光ディスク記録再生機器や外付けＨＤＤ（hard disk drive）等のような、外部の記録再生機器から出力されるＴＳが供給されるようになっている。
【００３０】
入力端子３２に入力されたＴＳは、ＴＳ分離部２５に供給される。そして、ＴＳ分離部２５は、選局復調部２４から供給されるＴＳと入力端子３２から供給されるＴＳのいずれか一方を選択して、映像成分と音声成分とに分離するように動作する。
【００３１】
ここで、この映像出力装置（デジタルテレビジョン放送受信装置）１１は、上記した各種の受信動作を含む種々の動作を、制御部３３によって制御される。
制御部３３は、ＣＰＵ（central processing unit）３３ａを内蔵している。そして、操作部１７からの操作情報やリモートコントローラ１８から送信され、受光部１９で受信された操作情報を受け、その操作内容が反映されるように各部を制御する。
【００３２】
制御部３３は、メモリ部３３ｂを利用する。このメモリ部３３ｂは、ＣＰＵ３３ａが実行する制御プログラムを格納したＲＯＭ（read only memory）と、ＣＰＵ３３ａに作業エリアを提供するためのＲＡＭ（random access memory）と、各種の設定情報及び制御情報等が格納される不揮発性メモリとを有している。
【００３３】
また、制御部３３は、内蔵型のＨＤＤ３４に接続されている。この制御部３３は、ユーザによる操作に基づいて、映像／文字データ検出部（映像デコーダ）２６や音声デコーダ３１から得られるデジタルの映像信号や音声信号等に、暗号化処理や所定の記録フォーマットへの変換処理を施した後、ＨＤＤ３４に供給してハードディスク３４ａに記録させることができる。
【００３４】
また、制御部３３は、ユーザによる操作に基づいて、ＨＤＤ３４によりハードディスク３４ａから所望の映像信号や音声信号等を読み出させ、暗号の解読処理を施した後、映像フレームバッファ２７や音声デコーダ３１に供給することにより、映像表示や音声再生に供させることができる。
【００３５】
さらに、制御部３３は、ネットワークインターフェース３５及び入出力端子３６を介して、例えばインターネット等のネットワークに接続されている。
これにより、制御部３３は、ユーザによる操作に基づいて、ネットワーク上のサーバにアクセスして所望の映像信号や音声信号等を取得し、映像表示や音声再生に供させたり、ＨＤＤ３４のハードディスク３４ａに記録させたりすることができる。
【００３６】
映像出力部２８は、映像フレームバッファ２７からフレーム単位で供給された映像信号が通常の２次元表示用の映像信号である場合には、その映像信号に対して映像表示部（液晶表示パネル）１５で表示可能なフレーム倍速変換処理を施した後、映像表示部（液晶表示パネル）１５に供給して映像表示させる。
【００３７】
映像出力部２８は、映像フレームバッファ２７からフレーム単位で供給された映像信号が、立体視用の映像信号である場合には、その映像信号から右目用映像信号と左目用映像信号とをそれぞれ生成し、それらの映像信号を交互に映像表示部（液晶表示パネル）１５に出力して映像表示に供させる。
【００３８】
このとき、映像出力部２８は、右目用映像を映像表示している期間と、左目用映像を映像表示している期間とをそれぞれ示すシャッタ制御信号ＳＣを生成し、出力端子３７を介して立体視用眼鏡（３Ｄメガネ）１２に出力する。
【００３９】
立体視用眼鏡（３Ｄメガネ）１２は、映像出力装置（デジタルテレビジョン放送受信装置）１１から供給されるシャッタ制御信号ＳＣに基づいて、右目用映像の表示時に左目のシャッタを閉じ、左目用映像の表示時に右目のシャッタを閉じるように制御され、これにより、右目用映像を右目のみで視認し、左目用映像を左目のみで視認することができるため、ユーザに立体視映像が認識される。
【００４０】
なお、上記映像フレームバッファ２７からフレーム単位で供給される映像信号が、通常の２次元表示用の映像信号であるか、立体使用の映像信号であるかの判断は、例えば、制御部３３が、映像表示の対象となる映像信号に付された属性情報を検知することにより、行なうことができる。
【００４１】
また、立体視用眼鏡（３Ｄメガネ）１２は、ユーザが装着しているか否かを検出するための、着脱検出部２１を備えている。この着脱検出部２１としては、例えば、圧力の有無によってユーザが装着しているか否かを検出するもの、発光した赤外線が映像表示部（液晶表示パネル）１５面で反射されて受光されたか否かによってユーザが装着しているか否かを検出するもの、傾きによってユーザが装着しているか否かを検出するもの等々、種々の手法によるものが考えられる。
【００４２】
そして、この着脱検出部２１は、無線により着脱検出信号ＣＤを送信しており、送信された着脱検出信号ＣＤは映像出力部２８に受信される。
この映像出力部２８は、映像フレームバッファ２７から供給された映像信号が立体視用の映像信号であって、ユーザが立体視用眼鏡（３Ｄメガネ）１２を装着している旨を示す着脱検出信号ＣＤが供給されているときには、その映像信号から右目用映像信号と左目用映像信号とをそれぞれ生成し、それらの映像信号を交互に映像表示部（液晶表示パネル）１５に映像表示させて立体視映像表示を実行する。
【００４３】
また、この映像出力部２８は、ユーザが立体視用眼鏡（３Ｄメガネ）１２を装着していない旨を示す着脱検出信号ＣＤが供給されたとき、受信した立体視用の映像信号を通常の２次元表示用の映像信号に変換し、その２次元表示用の映像信号に対して映像表示部（液晶表示パネル）１５で表示可能なフレーム倍速変換処理を施した後、映像表示部（液晶表示パネル）１５に供給して映像表示させる。
【００４４】
図４は、実施形態に係わる映像出力装置に構成される映像出力システムの概要を示す図である。
符号２７は映像処理部、符号５０は２Ｄ３Ｄ変換部、符号１５は映像表示部である。
ここでは、映像処理部２７は上記のような２Ｄ映像の映像コンテンツにかかる映像データ４１を受信する。
すると、映像処理部２７は、受信した２Ｄ映像データに文字を表示する文字データが関連付けられているかを検出する。
そして、受信した２Ｄ映像データに文字データが関連付けられている場合には、文字データは２Ｄに、映像を表示する映像データは３Ｄに、とするように、２Ｄ３Ｄ変換に係る情報（２Ｄ３Ｄ変換領域情報４３）を２Ｄ３Ｄ変換部５０に向けて出力する。
【００４５】
また、上記受信した２Ｄ映像に係る映像データ４２を２Ｄ３Ｄ変換部５０に向けて出力する。
そして、２Ｄ３Ｄ変換部５０は、２Ｄ３Ｄ変換に係る情報（２Ｄ３Ｄ変換領域情報４３）に基づいて、前記受信した２Ｄ映像データ（映像データ４２）を、文字データは２Ｄに、映像データは３Ｄに、とするように、２Ｄ３Ｄ変換して、視差画像データ（２Ｄおよび３Ｄ）４４を映像表示部１５に向けて出力する。
【００４６】
ここでは、２Ｄ映像データ（映像データ４２）は、例えば、選局復調部（デジタルテレビチューナ）２４から出力されるＴＳデータ、ＰＣから出力される映像出力等である。
【００４７】
図５は、実施形態に係わる映像出力装置に構成される２Ｄ３Ｄ変換部の構成の一例を示すブロック図である。
ここでは、上記２Ｄ３Ｄ変換部５０の構成の一例を説明する。
符号５１は視差画像生成部、符号５２は領域情報解析部、符号５３は領域情報記憶部である。
上記のように、２Ｄ３Ｄ変換部５０には、映像データ４２、２Ｄ３Ｄ変換領域情報４３が入力される。そして、視差画像生成部５１は映像データ４２を入力とし、視差画像データ（２Ｄおよび３Ｄ）４４を生成（２Ｄ３Ｄ変換）し、出力する。
【００４８】
そして、この実施の形態においては、この視差画像データ（２Ｄおよび３Ｄ）４４を生成する際に、処理対象ピクセル位置情報５４を領域情報解析部５２に出力する。
【００４９】
領域情報解析部５２は視差画像生成部５１との間で通信を行い、視差画像生成部５１に対し、ピクセル毎に２Ｄ３Ｄ変換に関するＯＮ／ＯＦＦ信号を関連付ける信号である２Ｄ３Ｄ変換ＯＮ／ＯＦＦ信号５２を出力する。
【００５０】
そして、視差画像生成部５１はこの２Ｄ３Ｄ変換ＯＮ／ＯＦＦ信号５２を受信し、処理対象ピクセルの２Ｄ３Ｄ変換がＯＮの場合（例えば上記映像データの場合）は、３Ｄ（視差）画像データを生成する。また、２Ｄ３Ｄ変換がＯＦＦの場合（例えば上記文字データの場合）は、２Ｄ画像データを生成し、３Ｄ（視差）画像の生成は特に行わない。
【００５１】
すなわち、領域情報解析部５２は、２Ｄ３Ｄ変換領域情報４３を受信し、視差画像生成部５１に２Ｄ３Ｄ変換ＯＮ／ＯＦＦ信号を出力する。その際、上記のように通信を行い、視差画像生成部５１から、処理対象ピクセル位置情報５４を受信する。そして、要求された処理対象ピクセルに対する２Ｄ３Ｄ変換ＯＮ／ＯＦＦ信号５５を出力する。
【００５２】
また、この実施の形態においては、領域情報記憶部５３を備えている。そして、領域情報解析部５２は領域情報記憶部５３に、２Ｄ３Ｄ変換領域情報５５を保存することが可能である。これにより、例えば、２Ｄ３Ｄ変換領域情報４３の入力がない画像フレームを処理する際も２Ｄ３Ｄ変換ＯＮ／ＯＦＦ信号５５を出力することが可能である。
【００５３】
図６は、実施形態に係わる映像出力装置における２Ｄ３Ｄ表示領域情報の出力例を説明する図である。
符号６０は上記映像データ４２に係る各ピクセルを示している。符号６１は１ピクセル単位の２Ｄ３Ｄ表示領域情報を示している。また、符号６２は１フレーム単位の２Ｄ３Ｄ表示領域情報を示している。
【００５４】
図６（ａ）は、１ピクセル単位で２Ｄ３Ｄ表示領域情報を関連付ける例を示している。この例では、１ピクセル単位の２Ｄ３Ｄ表示領域情報６１において、１ピクセルに対し１つの２Ｄ３Ｄ変換領域情報が関連付けられる。ここでは、例えば、２Ｄ３Ｄ変換ＯＮは１、２Ｄ３Ｄ変換ＯＦＦは０である。
【００５５】
これらの映像データ４２と２Ｄ３Ｄ変換領域情報４３は２Ｄ３Ｄ変換部５０に入力される。
なお、ここでは、２Ｄ３Ｄ変換領域情報４３には、1ピクセルデータ毎に対応した視差画像生成ＯＮ／ＯＦＦフラグが格納されている。
この場合、上記領域情報解析部５２は、２Ｄ３Ｄ変換領域情報４３をピクセル毎に見て、３Ｄ（視差）画像生成のＯＮ／ＯＦＦ信号を切り替える。
図６（ｂ）は、１フレーム単位の２Ｄ３Ｄ表示領域情報を関連付ける例を示している。この例では、１フレーム単位の２Ｄ３Ｄ表示領域情報６２において、Ｎピクセルに対し１つの２Ｄ３Ｄ変換領域情報が関連付けられる。ここでは、例えば、２Ｄ３Ｄ変換ＯＮはＸ０に開始し、ＸＮに終了する。
【００５６】
同様に、これらの映像データ４２と２Ｄ３Ｄ変換領域情報４３は２Ｄ３Ｄ変換部５０に入力される。
なお、ここでは、２Ｄ３Ｄ変換領域情報４３は、1フレーム内のどの領域を２Ｄ３Ｄ変換の対象とするかというパラメータが任意のデータ構造で格納されている。
この場合、上記領域情報解析部５２は、２Ｄ３Ｄ変換領域情報４３を解析し、処理対象のピクセルが２Ｄ３Ｄ変換領域内に存在するかどうかの判定を行ない、３Ｄ（視差）画像生成のＯＮ／ＯＦＦ信号を切り替える。
【００５７】
図７は、実施形態に係わる映像出力装置から出力される、字幕表示を含む映像の表示例を示す図である。
ここでは、映像７２が表示される映像フレームに対しては２Ｄ３Ｄ変換（３Ｄへの変換）を行うが、字幕７３が表示される、例えば矩形領域に対しては２Ｄ３Ｄ変換を行わない場合の映像フレーム７１を示している。
【００５８】
例えば、字幕表示は、文字多重放送やクローズドキャプション(closed captioning)で表示される字幕の表示である。
文字多重放送とは、例えばラジオ又はテレビ放送にて、放送信号に文字コードや図形情報や番組その他の情報を多重（重畳）する放送である。
近年では地上デジタル放送のデータ放送がこれに代わるものとされている。
また、クローズドキャプションは、放送している番組のセリフを文字情報に変換し、アナログ放送ではテレビ信号の垂直帰線区間にテキストデータとして多重する技術である。聴覚障害者のために音楽や効果音が記号や文字でテレビ画面に表示されることが特徴となっている。
【００５９】
通常、クローズドキャプションの文字情報が含まれる垂直帰線区間はテレビ受像器では見ることが出来ず、クローズド・キャプション・デコーダと呼ばれる専用のチューナーまたは、それを内蔵するテレビが必要である。
【００６０】
しかし、デコーダを使用していても、字幕の表示が不要であればclosed（非表示）にできる。このことからクローズドキャプション（closed captioning）と呼ばれている。
【００６１】
このクローズドキャプションは、アナログ放送では垂直帰線区間のうち２１Ｈに多重されている。また、デジタルテレビ放送では、テレビの映像(ＭＰＥＧ−２のピクチャユーザデータ)にテキストデータとして挿入され、送出される。
【００６２】
上記のように、この実施の形態においては、文字データは２Ｄに、映像データは３Ｄに、とする２Ｄ３Ｄ変換に係る情報が出力される。そして、この２Ｄ３Ｄ変換に係る情報に基づいて、２Ｄ３Ｄ変換部５０から受信した２Ｄ映像データを上記２Ｄ３Ｄ変換した映像データが出力される。
【００６３】
そして、ここでは、映像表示部１５に文字データが関連付けられている映像フレーム７１が表示される。
符号７２は映像表示部１５に表示される映像である。この映像は上記のように、３Ｄ表示される。
符号７３は映像表示部１５に表示される文字に係る字幕である。この文字が表示される字幕は上記のように、２Ｄ表示される。
図８は、実施形態に係わる映像出力装置から出力される、ピクチャーインピクチャー表示の表示例を示す図である。
ここでは、映像８３が表示されるPinP（ピクチャーインピクチャー）領域にに対して２Ｄ３Ｄ変換（３Ｄへの変換）を行うが、番組表８３が表示される映像フレームに対しては２Ｄ３Ｄ変換（３Ｄへの変換）を行わない場合の映像フレーム８１を示している。
【００６４】
上記と同様に、この実施の形態においては、文字データは２Ｄに、映像データは３Ｄに、とする上記２Ｄ３Ｄ変換した映像データが映像フレーム８１として出力される。
【００６５】
ここでは、番組表８３は文字を含んでおり、２Ｄ表示される。
また、映像８２は番組表８３にピクチャーインピクチャー表示される。この映像８２は、上記のように３Ｄ表示される。
図９は、実施形態に係わる映像出力装置から出力される、ＰＣ画面表示の表示例を示す図である。
ここでは、映像再生ウィンドウ１（９２ａ）および映像再生ウィンドウ２９２ｂが表示される複数の領域に対して２Ｄ３Ｄ変換（３Ｄへの変換）を行うが、ウィンドウ外領域９３が表示される映像フレーム全体に対しては２Ｄ３Ｄ変換を行わない場合の映像フレーム９１を示している。
【００６６】
上記と同様に、この実施の形態においては、文字データは２Ｄに、映像データは３Ｄに、とする上記２Ｄ３Ｄ変換した映像データが映像フレーム９１として出力される。
【００６７】
符号９１は上記２Ｄ３Ｄ変換された映像データが出力された映像フレームである。符号９２ａは第１の映像再生ウィンドウ、符号９２ｂは第２の映像再生ウィンドウである。符号９３はウィンドウ外領域である。
【００６８】
ここでは、ウィンドウ外領域９３はテキスト表示であり、２Ｄで表示される。また、第１の映像再生ウィンドウ９２ａ、第２の映像再生ウィンドウ９２ｂは映像であり、３Ｄ表示される。
【００６９】
図１０は、実施形態に係わる映像出力装置から出力される、データ放送の表示例を示す図である。
ここでは、映像１０２が表示される領域に対して２Ｄ３Ｄ変換（３Ｄへの変換）を行うが、データ放送１０３が表示される領域に対しては２Ｄ３Ｄ変換を行わない場合の映像フレーム１０１を示している。
【００７０】
上記と同様に、この実施の形態においては、文字データは２Ｄに、映像データは３Ｄに、とする上記２Ｄ３Ｄ変換した映像データが映像フレーム１０１として出力される。
【００７１】
符号１０１は上記２Ｄ３Ｄ変換された映像データが出力された映像フレームである。符号１０２は映像である。
ここでは、データ放送１０３は文字の表示であり、２Ｄで表示される。また、映像１０２は映像の表示であり、３Ｄ表示される。
図１１は、実施形態に係わる映像出力装置における動作を説明するフローチャートである。
符号Ｓ１００は、ここでの開始ステップである。続いて、ステップＳ１０１へ進む。
ステップＳ１０１は、２Ｄ映像データを受信するステップである。続いて、ステップＳ１０２へ進む。
ステップＳ１０２は、上記のように映像に関連付けられた文字データを検出するステップである。続いて、ステップＳ１０３へ進む。
ステップＳ１０３は、文字データは検出されたかを判別するステップである。文字データは検出されたかと判別される場合は、ステップＳ１０４へ進む（Ｙｅｓ）。文字データは検出されないと判別される場合は、ステップＳ１０５へ進む（Ｎｏ）。
【００７２】
ステップＳ１０４は、受信した２Ｄ映像データの文字データは２Ｄに、映像データは３Ｄとする、２Ｄ３Ｄ変換領域情報を出力するステップである。続いて、ステップＳ１０６へ進む。
【００７３】
ステップＳ１０５は、受信した２Ｄ映像データを３Ｄとする、２Ｄ３Ｄ変換領域情報
を出力するステップである。続いて、ステップＳ１０６へ進む。
ステップＳ１０６は、２Ｄ３Ｄ変換領域情報受信するステップである。続いて、ステップＳ１０７へ進む。
ステップＳ１０７は、２Ｄ３Ｄ変換領域情報に基づいて、２Ｄ映像データを上記２Ｄ３Ｄ変換し、出力するステップである。続いて、ステップＳ１０８へ進む。
ステップＳ１０８は、２Ｄ３Ｄ変換された映像データを映像表示部１５に表示するステップである。続いて、ステップＳ１０９へ進む。
ステップＳ１０９は、終了ステップであり、ここでの処理は終了する。
また、他の実施の形態においては、上記２Ｄ３Ｄ変換領域情報４３は、映像フレーム毎の情報でも、ピクセル単位の情報でもどちらでも良い。
また、上記２Ｄ３Ｄ変換システム前段の映像データを出力する映像処理システムと、２Ｄ３Ｄ変換領域情報４３を出力する映像処理システムは、異なるシステムであっても良い。
【００７４】
また、２Ｄ３Ｄ変換領域情報４３は、例えば、ネットワーク経由で受信することも可能である。
上記のように構成することによって、この発明の実施の形態においては、２Ｄ映像コンテンツを３Ｄに変換して表示した場合に、ユーザが感じる不快感を、低減することが可能になる。
【００７５】
なお、上記実施形態は、記述そのものに限定されるものではなく、実施段階では、その趣旨を逸脱しない範囲で、構成要素を種々変形して具体化することが可能である。
【符号の説明】
【００７６】
１１…映像出力装置（デジタルテレビジョン放送受信装置）、１２…立体視用眼鏡（３Ｄメガネ）、１３…キャビネット、１４…支持台、１５…映像表示部（液晶表示パネル）、１６…スピーカ、１７…操作部、１７ａ…主電源スイッチ、１８…リモートコントローラ、１９…受光部、２０…基台、２１…着脱検出部、２２…アンテナ、２３…入力端子、２４…選局復調部、２５…ＴＳ分離部、２６…映像／文字データ検出部（映像デコーダ）、２７…映像フレームバッファ、２８…映像出力部、２９…音声バッファ、３０…音声出力部、３１…音声デコーダ、３２…入力端子、３３…制御部、３３ａ…ＣＰＵ、３３ｂ…メモリ部、３４…ＨＤＤ、３４ａ…ハードディスク、３５…ネットワークインターフェース、３６…入出力端子、３７…出力端子、５０…２Ｄ３Ｄ変換部、５１…視差画像生成部、５２…領域情報解析部、５３…領域情報記憶部。
【図１】
2012151615.tif 000003
【図２】
2012151615.tif 000004
【図３】
2012151615.tif 000005
【図４】
2012151615.tif 000006
【図５】
2012151615.tif 000007
【図６】
2012151615.tif 000008
【図７】
2012151615.tif 000009
【図８】
2012151615.tif 000010
【図９】
2012151615.tif 000011
【図１０】
2012151615.tif 000012
【図１１】
2012151615.tif 000013